(57)【要約】  格納及び／又は輸送用の平面梱包構成から、使用するための箱状構成に変形可能な組合せ便器及び座部装置は、側面パネルに各々接続された前面及び背面パネルと、底部パネルと、を備え、前記側面パネルは、内向きに傾斜した側面パネルを構成可能であり、それによって前面及び／又は背面パネルのいずれかに接続された上部パネルに支持を提供し、前記上部パネルは、台座を構成し、前記底部パネルは、前面又は背面パネルのいずれかに接続されている。上部パネル及び／又は底部パネルは、一つ以上の連結部を備え、側面パネルの一方又は両方と上部パネル及び／又は底部パネルを連結し、前記装置を箱状構成に維持する。【選択図】  図１
2010530775.tif 000002
【特許請求の範囲】
【請求項１】
格納及び／又は輸送用の平面梱包構成から、使用するための箱状構成に変形可能な組合せ便器及び座部装置であって、
各側面パネルに接続された前面及び背面パネルと、
前記前面又は背面パネルのいずれかに接続された底部パネルと、を備え、
前記側面パネルが、内向きに傾斜した側面パネルを構成可能で、それによって前面及び／又は背面パネルのいずれかに接続された上部パネルを支持し、前記上部パネルが台座を構成し、
前記上部パネル及び／又は底部パネルが、一つ以上の連結部を備え、前記上部パネル及び／又は底部パネルを、一方又は両方の側面パネルと連結することで、箱状構成を維持する組合せ便器及び座部装置。
【請求項２】
各側面パネルが、対応する連結部を備えている、請求項１に記載の装置。
【請求項３】
前記上部パネル、又は前記底部パネルが、二つの連結部を備えている、請求項１又は２に記載の装置。
【請求項４】
第一及び第二組の連結部が、前記底部パネルと前記各側面パネルの間に設けられている、請求項１〜３のいずれかに記載の装置。
【請求項５】
対応する連結部が、タブ及びスロット構成、又は単一のスロット又は二重スロット構成を備えている、請求項１〜４のいずれかに記載の装置。
【請求項６】
前記底部パネルが、前記各側面パネルと接触する突出部を備える、請求項１〜５のいずれかに記載の装置。
【請求項７】
前記突出部が、側面パネルと連結するスロットの形態の連結部を備える、請求項６に記載の装置。
【請求項８】
前記突出部が、前記各側面パネルと連結する二つのスロットを備える、請求項７に記載の装置。
【請求項９】
前記底部パネルが、前記側面パネルの中央領域に、前記連結部を配置するように構成された部分的長さのパネルである、前記請求項のいずれかに記載の装置。
【請求項１０】
底部パネルが、内向きに傾斜した側面パネルの各頂点に、前記連結部を配置するように構成された部分的長さのパネルである、請求項１〜９のいずれかに記載の装置。
【請求項１１】
一方又は両方の側面パネルが、スロット形態の連結部を備えている、請求項１〜１０のいずれかに記載の装置。
【請求項１２】
前記上部パネルと、対向する前面又は背面パネルが、対応する連結部を備え、前記連結部が、それらの間に連結を提供可能であり、前記前面及び背面パネルの分離を維持する、請求項１〜１１のいずれかに記載の装置。
【請求項１３】
前記前面、又は前記背面パネル上の前記連結部が、前記前面又は背面パネル、及び第二上部パネルの接合部に設けられている、請求項１２に記載の装置。
【請求項１４】
前記上部パネル上の連結部が、前記上部パネルから、前記対向する前面又は背面パネルに向かって延びる一つ以上のタブである、請求項１２又は１３に記載の装置。
【請求項１５】
前記対向する前面又は背面パネル上の前記連結部が、各タブを受け取る一つ以上のスロットである、請求項１２〜１４のいずれかに記載の装置。
【請求項１６】
前記第一上部パネルが、前記背面パネルに接続されている、請求項１〜１５のいずれかに記載の装置。
【請求項１７】
前記底部パネルが、前記背面パネルに接続されている、請求項１〜１６のいずれかに記載の装置。
【請求項１８】
前記第二上部パネルが、前記前面パネルに接続され、二層台座を提供する、請求項１３〜１７のいずれか一つに記載の装置。
【請求項１９】
前記第二上部パネルが、第三上部パネルを供え、前記第三上部パネルが折り畳み可能であり、三層台座を提供する、請求項１８に記載の装置。
【請求項２０】
前記第一上部パネルが、装置内部へ通じる孔を備え、前記孔が便器としての使用に適している、請求項１〜１９のいずれかに記載の装置。
【請求項２１】
前記第二上部パネルが、装置内部へ通じる孔を備える、請求項１３〜２０のいずれかに記載の装置。
【請求項２２】
前記孔が、前記前面パネルに対向する前記孔の端部に配置され、特に、男性の体構造にとっての使用を容易にするために設けられる、追加の切り欠き可能な部分を備える、請求項２０又は２１に記載の装置。
【請求項２３】
前記第三上部パネルが、前記第二上部パネルの孔を実質的に覆うように配置されている、請求項１９〜２２のいずれかに記載の装置。
【請求項２４】
前記第三上部パネルが、前記第一及び第二上部パネルを実質的に覆うように配置されている、請求項２３に記載の装置。
【請求項２５】
前記第一及び／又は第二上部パネルが、組合せ便器及び座部の内側で使用するための、流体密封容器、又は流体／固体貯蔵器の一部を支え、固定する、一つ以上のスリットを備える、請求項１〜２４のいずれかに記載の装置。
【請求項２６】
前記容器／貯蔵器が、受け皿またはプラスチック袋である、請求項２５に記載の装置。
【請求項２７】
前記第一及び／又は第二上部パネルの二つの対向する側に、プラスチック袋の取っ手を支える、二つのスロットが設けられる、請求項２５又は２６に記載の装置。
【請求項２８】
前記組合せ便器及び座部が、段ボール又は板紙等、又はプラスチック材料から製造される、請求項１〜２７のいずれかに記載の装置。
【請求項２９】
前記段ボールに刻み目を設けて、その折り畳みを補助する、請求項２８に記載の装置。
【請求項３０】
前記段ボールにミシン目を設けて、その折り畳みを補助する、請求項２８又は２９に記載の装置。
【請求項３１】
前記前面及び／又は背面パネルと、各側面パネルの間に、平面梱包折り畳みを可能にする二重ヒンジを提供する、適切に間隙を介した二組の刻み目、又はミシン目が設けられる、請求項２８〜３０のいずれかに記載の装置。
【請求項３２】
二つの段ボール、板紙等から構成されている、請求項２８〜３１のいずれかに記載の装置。
【請求項３３】
輸送又は格納用の平面梱包構成に折り畳み可能なように構成されている、請求項１〜３２のいずれかに記載の装置。
【請求項３４】
方形の平面構成に折り畳み可能である、請求項３３に記載の装置。
【請求項３５】
構成材料が、生分解可能である、請求項１〜３４のいずれかに記載の装置。
【請求項３６】
添付の図面及び記述を参照しながら、実質的に本明細書で説明されている、組合せ便器及び座部装置。
【請求項３７】
組合せ便器及び座部装置を構成するための一つ以上の抜き板であって、
前記装置の前面パネル、第一側面パネル、背面パネル、及び第二側面パネルを構成するための第一、第二、第三、及び第四連続パネルと、それらの間の接続手段と、
前記装置の台座と底部を各々構成するための第五及び第六パネルと、を備え、
前記第五パネルが、第一又は第三パネルの一方から延び、前記第六パネルが、第一又は第三パネルの一方の反対側の端部から延び、
前記第五又は第六パネル、及び第二及び／又は第四パネルが、対応する連結部を備え、それらの間に少なくとも一つの連結を構成する、一つ以上の抜き板。
【請求項３８】
組み合わされて、単一の抜き板を構成する二つの抜き板を備えている、請求項３７に記載の一つ以上の抜き板。
【請求項３９】
前記対応する連結部が、一つ以上のスロットを備えている、請求項３７又は３８に記載の一つ以上の抜き板。
【請求項４０】
請求項１〜３６のいずれか一つに記載の組合せ便器及び座部装置を構成するための抜き板。
【請求項４１】
箱状構成を有する組立てられた組合せ便器及び座部装置であって、
内向きに傾斜した側面パネルによって接続され、間隙を介している前面及び背面パネルと、
前記前面及び／又は背面パネルの一方に接続され、内向きに傾斜した側面パネルによって支持され、台座を構成する上部パネルと、
前記前面又は背面パネルの一方に接続されている底部パネルと、を備え、
少なくとも一つの前記内向きに傾斜した側面パネルと、前記上部パネル又は底部パネルの間の対応する連結部によって、連結を提供し、箱状構成を維持する組合せ便器及び座部装置。
【請求項４２】
請求項１〜３６のいずれかに記載の組合せ便器及び座部装置、又は請求項３７〜４１のいずれかに記載の一つ以上の抜き板から組み立てられる、請求項４１に記載の組立て装置。
【発明の詳細な説明】
【技術分野】
【０００１】
本発明は、平面梱包構成から、箱状の使用構成に変形可能な組合せ便器及び座部装置に関する。更に、本発明は組合せ便器及び座部装置を構成するための抜き板、及び使用するための組立てられた組合せ便器及び座部装置に関する。
【背景技術】
【０００２】
携帯型便器は、従来から知られている。同様の構成の一例は、米国特許第6,047,414号に示されており、前記特許は組合せ梱包可能な便器及び腰掛けを開示している。この腰掛けは、型抜き板紙の連結可能構造を有する。当業者には理解されるように、この米国特許で開示されている構成は、少なくとも腰掛けの底部、つまり組合せ便器及び腰掛けの前面、背面及び側面パネルが、座部又はその周りに提供された連結部から最も離れる、地面上に配置される箇所に向かう安定性、剛性、及び強度の問題に苦しむと思われる。更に、連結部と地面の間にやや距離があるので、使用中、地面がややでこぼこであり、使用者が一部のパネルにより体重をかけ、他のパネルに体重をかけないと、前面、背面、及び側面パネルは、横方向の力を受けやすく、それらのパネルを倒し、腰掛け／便器を押しつぶす可能性がある。これらの問題に提供される解決策は、第二の前面パネルを設けて、二つの前面パネルを共に連結し、二倍の厚さの前面パネルを提供することとされている。しかし、開示されている組合せ便器及び腰掛けは、様々な体重及びサイズの人が座ることを意図しているが、二重前面パネルの提供は、強度、剛性、又は安定性をあまり改善せず、従って、本発明によって提供される改善された組合せ便器及び座部が必要であると理解される。
【先行技術文献】
【特許文献】
【０００３】
【特許文献１】米国特許第6,047,414号
【発明の概要】
【０００４】
本発明の目的は、従来技術の装置より強く、より大きな剛性を備え、より堅牢で安定であり、実質的に全てのサイズ及び体重の成人を支えることが可能な組合せ便器及び腰掛けを提供することである。
【０００５】
従って、本発明の第一形態では、格納及び／又は輸送用の平面梱包構成から、使用するための箱状構成に変形可能な組合せ便器及び座部装置を提供し、前記装置は、
各側面パネルによって接続された前面及び背面パネルと、
前記全面又は背面パネルのいずれかに接続された底部パネルと、を備え、
前記側面パネルは、内向きに傾斜した側面パネルを構成可能であり、それによって前記前面及び／又は背面パネルのいずれかに接続された、台座を構成する上部パネルに支持を提供し、
前記上部パネル及び／又は底部パネルが一つ以上の連結部を備え、前期上部パネル及び／又は底部パネルを一方又は両方の側面パネルと連結し、それによって前記装置を箱状構成に維持する。
【０００６】
好ましくは、本発明の構成は、従来技術の装置より大きな安定性、強度、及び剛性を備えている組合せ便器及び座部を提供する。特に、底部パネルを提供することは、組合せ便器及び座部の地面上の表面積を増大させ、それは組合せ便器及び座部の安定性を補助し、地面とのより大きな接触面積を提供し、使用者の体重をより均一に分散させる。地面に沈むことが防止又は最小化されるので、明らかに、組合せ便器及び座部を柔らかい地面上で用いる場合は非常に有利である。更に、底部パネルは、座部の下側領域で内向きに傾斜した側面パネルを、所定の位置に実質的に保持し、使用中、これらの部品の不安定性を最小化し、前面及び／又は背面パネルの角度的な分離を維持する。内向きに傾斜した側面パネルと、前面又は背面パネルの角度的な分離は実質的に一定であるので、地面に接触する組合せ便器及び座部の下側部分が、使用中に動いてしまう、又は動かされる量は低減され、本発明の組合せ便器及び座部は使用者にとってより安全及び安定になる。特に、所定の製造材料は段ボール、又は板紙等であるので、本装置を使用する際の信頼と、この信頼が、使用者が製品を購入するかどうかに影響するという両方の観点から、組合せ便器及び座部装置が体重に耐えうると使用者が信じることが重要である。更に、連結部は、装置の箱状構成を維持する。本発明の別の利点は、底部パネルによって、内向きに傾斜した側面パネルが箱状構造の中心に向かって従来技術の部材より更に延長可能であることである。従って、上部パネルを更に支持するものとして機能し、台座を画定する内向きに傾斜した側壁は、更に体重の重い人を支え、安定性を低減することなく機能することが可能な部材となる。当然のことながら、内向きに傾斜した側面パネルの頂点に与えられる角度を変更し、装置の所定の可搬重量に適合させることができる。好ましい実施形態では、底部パネルだけが、一つ以上の連結部を備え、底部パネルと一方又は両方の側面パネルを連結する。更に好ましいことには、本実施形態では、上部パネルと、対向する前面又は背面パネルは、対応する連結部を備え、それらの間を連結させ、前面及び背面パネルの分離を維持する。従って、この好ましい実施形態は、より大きな安定性を提供し、それらのパネルと連結する上部パネル及び底部パネルの一部によって、側面、前面及び／又は背面パネルの上部又は底部において、各部分の少なくとも一つの連結が提供される際、側面パネル、前面パネル及び／又は背面パネルの横方向の移動を最小化する。
【０００７】
第二形態では、本発明は、組合せ便器及び座部装置を構成する一つ以上の抜き板を提供し、
前記装置の前面パネル、第一側面パネル、背面パネル、及び第二側面パネルを各々構成するための第一、第二、第三、及び第四連続パネルと、それらの間の接続手段と、
前記装置の台座及び底部を各々構成するための第五及び第六パネルと、を備え、
前記第五パネルは、第一又は第三パネルのいずれかから延び、前記第六パネルは、第一又は第三パネルのいずれかの反対側の端部から延び、
前記第五又は第六パネル、及び第二及び／又は第四パネルは、対応する連結部を備え、それらの間に少なくとも一つの連結を構成する。
【０００８】
本発明の第三形態によると、箱状構成を有する組立てられた組合せ便器及び座部が提供され、前記装置は、
内向きに傾斜した側面パネルによって接続されている、間隙を介した前面及び背面パネルと、
前記前面及び／又は背面パネルのいずれかに接続され、内向きに傾斜した側面パネルによって支持され、台座を構成する上部パネルと、
前記前面又は背面パネルのいずれかに接続された底部パネルと、を備え、
連結は、内向きに傾斜した側面パネルの少なくとも一つと、上部パネル又は底部パネルの間の対応する連結部によって提供され、前記装置を箱状の構成に維持する。
【０００９】
本発明が十分に開示されるように、添付の図面を参照しながら、ほんの一例として、ここで実施形態を説明する。
【図面の簡単な説明】
【００１０】
【図１】本発明の組合せ便器及び座部装置の斜視図である。
【図２】図１の装置を構成するための第一部分の抜き板の平面図である。
【図３】図１の装置を構成するための第二部分の抜き板の平面図である。
【図４】本発明の部分的に構成した組合せ便器及び座部装置であり、図１と図２の抜き板を組み合わせたものを示す図である。
【００１１】
全ての図、及び特に図１は、本発明の組合せ便器及び座部装置を示しており、概して、便器及び座部は参照番号１によって示されている。装置１は、蓋２、座部３、前面パネル４、側面パネル５、９、背面パネル８、及び底部パネル６を備えている。便器孔７は、座部３の中央に設けられ、装置１の内部が見えるようになっている。便器孔７を介して、背面パネル８と第二側面パネル９の内面を見ることができる。蓋２は、図１に示した上側位置と、座部３を覆う状態の下側位置の間で、旋回するように移動可能である。当然のことながら、蓋２は、装置１を便器として使用する際には反対方向にも移動可能である。蓋２を下げて座部３を覆った場合、その外面は外側座部又は台座を構成する。もちろん、便器の台座として使用中は、座部３のみ用いられる。底部パネル６は、側面パネル５、９の対応する部分を受け取るために、切り込まれたスロット１１を有するタブ１０を備え、側面パネル５、９の対応する部分は、後で参照番号１８によって識別される。連結は、それらの対応する連結部１１、１８の間に提供される。
【００１２】
図２は、特に、本発明の組合せ便器及び座部装置１を構成するための、第一部分の抜き板を示している。特に、図２の抜き板は、本発明の組合せ便器及び座部装置に組み立てる前に、図３の抜き板に接続可能である。図２は、十字型の抜き板の中心に、組合せ便器及び座部の背面壁８を示している。底部パネル６とタブ１０は、中心から上向きに延びている。図２では、タブ１０のスロット１１がより明確に確認できる。上部パネル３’は、背面パネル８から底部パネル６の方向とは反対側に延び、図１に示した座部３の下に配置される第一上部パネルを構成する。従って、本装置を便器として用いる場合、二重層台座が提供される。上部パネル３’は、二つのタブ１２を備え、二つのタブ１２は、図３の抜き板上に設けられた二つのスロット１３内に配置可能であり、連結はそれらの対応する連結部１２、１３の間に提供される。第二側面パネル９の第一部分９Ａは、背面パネル８の左に延びている。第一部分９Ａは、遠端にタブ１４を備え、図３に示した第二側面パネル９の第二部分９Ｂと接続可能である。パネル９Ａからの切り欠き１８はスロット１８を構成し、組み立てられた際に、スロット１１の一つと接触する。背面パネル８の反対側には、第一側面パネル５の第一部分５Ａを設ける。第一パネル５Ａ遠端には、タブ１７を設け、図３に示した第一側面パネル５の第二部分５Ｂと接続する。パネル５Ａからの切り欠き１８はスロット１８を構成し、組み立てたときスロット１１の一つと接触する。
【００１３】
特に、図３で分かるように、前面パネル４は、この逆Ｔ字型の抜き板の横木領域の中央に設けられる。前面パネル４の左には、第二側面パネル９の第二部分９Ｂが設けられる。前面パネル４の右には、第一側面パネル５の第二部分５Ｂが設けられる。前面パネル４のすぐ上には、図１に示した座部３が設けられ、蓋２は、座部３に操作可能なように接続される。座部３と上部パネル３’の両方には、その中央に便器孔７が設けられる。追加の切り欠き部２０は、男性の使用者によって選択的に取りはずせるように設けられ、男性の体構造でも、組合せ便器及び座部装置を使用しやすくする。
【００１４】
図２と３で分かるように、抜き板の各パネルは、刻み目又はミシン目によって分離され、パネルを折り畳んで、箱状構成及び平面梱包構成を形成可能にする。図２及び３において、刻み目は一点鎖線１５によって示されており、二重刻み目１５は少なくとも座部３と蓋２の間に設けられ、便器を使用しない場合、又は座部として使用する場合、蓋２をそれ自体の上に折り畳み、座部３上に配置可能にする。更に、参照番号１６で示した二重ミシン目は、少なくとも前面パネル４と、第二及び第一側面パネル９、５の第二部分９Ｂ、５Ｂの間に設けられる。更に、背面パネル８と、第二及び第一側面パネル９、５の第一及び第二部分９Ａ、５Ａの間に、同じ構成が提供される。特に、二重ミシン目１６（及び二重刻み目１５）は、抜き板の各部分の折り畳みを補助する。また、二重刻み目１５と二重ミシン目１６によって、抜き板を平面に配置し、いずれの方向にも蓋のサイズより広くない方形をとることができる。従って、折り畳んだ平面梱包状態において、本装置は積層可能である点で有利である。
【００１５】
本発明の組合せ便器及び座部装置を作製するための単一の抜き板は、第二部分９Ｂと５Ｂの内側端部に、第一部分９Ａ、５Ａのタブ１４と１５をシールすることによって提供される。シールは、内向きに傾斜した側面パネル５、９の頂点の領域に設けられる。好ましくは、接着剤を用いて、第二パネル９の第一及び第二部分９Ａ、９Ｂと、第一側面パネル５の第一及び第二部分５Ａ、５Ｂを結合する。この部分的に組み立てた状態でも、組合せ便器及び座部を分解し、格納及び輸送用になお平面梱包可能であり、折り畳めばほぼ方形となる。特に、この段階での装置の平面梱包性は、二重刻み目１５と二重ミシン目１６によって提供される。
【００１６】
図４は、タブ１４と１７を用いて接続された第一及び第二部分９Ａ、９Ｂ及び５Ａ、５Ｂのシール後に組み合わされた図２と３の抜き板を示している。図４は、その平面梱包状態から開かれた状態の本発明の組合せ便器及び座部を示しており、底部６は、側面パネル５、９の下、特に第一部分５Ａ、９Ａの下に配置される。タブ１０は底部６に対して９０゜に示され、側面パネル５、９に向かって上向きに延び、第一部分５Ａとタブ１７、及び第一部分９Ａとタブ１４の間のミシン目１６に沿う接合領域に提供されたスロット１８において、側面パネル５、９と噛み合う。タブ１０に設けられたスロット１１は、対応するスロット１８と噛み合い、連結を構成する。図４から分かるように、第一部分５Ａと背面パネル８の角度的な分離は、タブ１０のスロット１１、１８と、第一及び第二側面パネル５、９の第一部分５Ａ、９Ａの連結性によって維持される。更に、連結は、本装置の箱状構成を維持する。特に、本構成は、組合せ便器及び座部装置に多大な強度、剛性、及び安定性を提供する。図１に示した組合せ便器及び座部装置を組み立てるために、上部パネル３’は、側面パネル５、９によって提供される支持部上に配置され、タブ１２は、スロット１３内に配置される。それから、座部３は、上部パネル３’の上にもたらされ、そのパネル３’上に配置され、本装置を便器として使用し、蓋２が開いた状態の場合に用いる二重層台座を構成する。上記のように、蓋２は、座部３上に折り畳んで便器を閉じ、三層上部パネルを構成する。スリット１９は、座部３と上部パネル３’に形成され、例えば、手提げ袋の取っ手を受け取り、前記手提げ袋は、便器用の収集器又は収集椀として用いることができる。特に、便器孔７の反対側のスリット１９の位置と、スリットの空間的な構成によって、使用中、袋自体が閉じないようにしている。
【００１７】
本発明の組合せ便器、及び座部装置は二つの段ボールから製造されるが、別の実施形態では、プラスチック材料から製造することもできる。更に、段ボール、板紙、又はプラスチック材料は、波形の構成を備えていてもよい。好ましくは、段ボールは生分解性である。本発明は、二つの段ボールを共に接続するために、二つのタブ１４、１７を備えるものとして説明したが、本発明の抜き板は、一つの段ボールだけから構成することもでき、従って、その場合は、抜き板の端部を接続するために一つのタブだけが必要とされ、本発明の平面梱包形態を構成できる。
【図１】
2010530775.tif 000003
【図２】
2010530775.tif 000004
【図３】
2010530775.tif 000005
【図４】
2010530775.tif 000006
【国際調査報告】
2010530775.tif 000007
2010530775.tif 000008
2010530775.tif 000009
2010530775.tif 000010
2010530775.tif 000011